(57)【要約】【課題】ファンガードに付着した霜を溶かす。【解決手段】貯蔵室１１を有する貯蔵庫本体１２と、冷却器３１と、冷却器３１により冷やされた空気を貯蔵室１１に吹き出す冷却ファン３２と、少なくとも冷却ファン３２を収容するケース５０であって、冷却ファン３２を外部に露出させる開口部５１Ａを有するケース５０と、開口部５１Ａを覆うファンガード４０と、ケース５０における開口部５１Ａの開口縁部５１Ｂを加熱するヒータ７０と、ファンガード４０からヒータ７０に向かって延び、ヒータ７０に接触する延設部４５と、を備えることに特徴を有する。【選択図】図３
2020085277.tif 000002
【特許請求の範囲】
【請求項１】
貯蔵室を有する貯蔵庫本体と、
冷却器と、
前記冷却器により冷やされた空気を前記貯蔵室に吹き出す冷却ファンと、
少なくとも前記冷却ファンを収容するケースであって、前記冷却ファンを外部に露出させる開口部を有するケースと、
前記開口部を覆うファンガードと、
前記ケースにおける前記開口部の開口縁部を加熱するヒータと、
前記ファンガードから前記ヒータに向かって延び、前記ヒータに接触する延設部と、を備える冷却貯蔵庫。
【請求項２】
前記ケースは、前記開口部を有すると共に前記ファンガードが取り付けられる第１壁部を備え、
前記第１壁部の下端には、前記ファンガードを下方から覆う第２壁部が設けられ、
前記ヒータは、前記第２壁部の下面に取り付けられており、
前記第２壁部において、前記ファンガードと前記ヒータとの間に位置する箇所には、貫通孔が形成されている請求項１に記載の冷却貯蔵庫。
【請求項３】
前記第２壁部は、前記冷却ファンの回転軸の軸方向と直交する方向に延びる長手状をなしており、
前記第２壁部における前記貫通孔の孔縁部には切欠部が形成されており、
前記ヒータの一部が前記切欠部の内面に当接することで、前記第２壁部の長手方向の一方側への前記ヒータの変位を規制することが可能である請求項２に記載の冷却貯蔵庫。
【請求項４】
前記ヒータを保持する保持部材を備え、
前記ヒータは、Ｕ字状をなすと共に弾性を有するＵ字部を備え、
前記Ｕ字部は、平行に配された一対の棒状部を有しており、
前記一対の棒状部のうち一方の棒状部は、前記延設部に対して接触するものとされ、
前記一対の棒状部のうち他方の棒状部は、前記一方の棒状部に対して前記延設部とは反対側に配され、
前記他方の棒状部が前記保持部材によって前記一方の棒状部側に押圧されることで、前記一方の棒状部が前記延設部側に弾性的に付勢されている請求項１から請求項３のいずれか１項に記載の冷却貯蔵庫。
【発明の詳細な説明】
【技術分野】
【０００１】
本発明は、冷却貯蔵庫に関する。
【背景技術】
【０００２】
従来、冷却貯蔵庫として、冷却器と、冷却器で生成された冷気を庫内へ供給するための冷却ファンと、冷却ファンを覆うファンガードと、を備えるものが知られている。このようなファンガードは、冷却ファンに異物が入ることを抑制すると共に、冷却ファンに手を触れないようにするためのもので、例えば、網目状をなすことで通気性を有している。
【先行技術文献】
【特許文献】
【０００３】
【特許文献１】特開２００１−２７４７２号公報
【発明の概要】
【発明が解決しようとする課題】
【０００４】
冷却貯蔵庫の冷却運転時には、ファンガードが冷やされることで、ファンガードに霜が付くことが懸念される。ファンガードに霜が付くと、ファンガードの通気性が低下し、冷却ファンの送風効率が低下してしまうため、冷却能力が低下してしまう。
【０００５】
本発明は上記のような事情に基づいて完成されたものであって、ファンガードに付着した霜を溶かすことを目的とする。
【課題を解決するための手段】
【０００６】
上記課題を解決するために、本発明の冷却貯蔵庫は、貯蔵室を有する貯蔵庫本体と、冷却器と、前記冷却器により冷やされた空気を前記貯蔵室に吹き出す冷却ファンと、少なくとも前記冷却ファンを収容するケースであって、前記冷却ファンを外部に露出させる開口部を有するケースと、前記開口部を覆うファンガードと、前記ケースにおける前記開口部の開口縁部を加熱するヒータと、前記ファンガードから前記ヒータに向かって延び、前記ヒータに接触する延設部と、を備えることに特徴を有する。上記構成によれば、ヒータで発生した熱を延設部を介して、ファンガードに伝えることができる。これにより、ファンガードに付着した霜を溶かすことができる。また、ヒータは、開口部の開口縁部を加熱することで開口縁部に付着した霜を溶かすことができる。これにより、成長した霜が冷却ファンと接触する事態を抑制することができるので、冷却ファンが回転不能となったり、故障したりする事態を抑制することができる。このように１つのヒータでファンガードと開口部の開口縁部の双方を加熱することができ、好適である。
【０００７】
また、前記ケースは、前記開口部を有すると共に前記ファンガードが取り付けられる第１壁部を備え、前記第１壁部の下端には、前記ファンガードを下方から覆う第２壁部が設けられ、前記ヒータは、前記第２壁部の下面に取り付けられており、前記第２壁部において、前記ファンガードと前記ヒータとの間に位置する箇所には、貫通孔が形成されているものとすることができる。第２壁部に貫通孔を形成することで、ヒータによって加熱された空気が貫通孔を通じてファンガードに向かうことができ、ファンガードをより効果的に加熱することができる。
【０００８】
また、前記第２壁部は、前記冷却ファンの回転軸の軸方向と直交する方向に延びる長手状をなしており、前記第２壁部における前記貫通孔の孔縁部には切欠部が形成されており、前記ヒータの一部が前記切欠部の内面に当接することで、前記第２壁部の長手方向の一方側への前記ヒータの変位を規制することが可能であるものとすることができる。このようにすれば、ヒータを組み付ける際に切欠部の内面を基準として第２壁部の長手方向についてヒータの位置決めをすることができる。これにより、ファンガードに対するヒータの位置ずれを規制することができ、ヒータによってファンガードをより確実に加熱することができる。
【０００９】
また、前記ヒータを保持する保持部材を備え、前記ヒータは、Ｕ字状をなすと共に弾性を有するＵ字部を備え、前記Ｕ字部は、平行に配された一対の棒状部を有しており、前記一対の棒状部のうち一方の棒状部は、前記延設部に対して接触するものとされ、前記一対の棒状部のうち他方の棒状部は、前記一方の棒状部に対して前記延設部とは反対側に配され、前記他方の棒状部が前記保持部材によって前記一方の棒状部側に押圧されることで、前記一方の棒状部が前記延設部側に付勢されているものとすることができる。一方の棒状部が延設部側に付勢されているため、一方の棒状部と延設部とが離間する事態をより確実に抑制することができ、ファンガードをより確実に加熱することができる。
【発明の効果】
【００１０】
本発明によれば、ファンガードに付着した霜を溶かすことができる。
【図面の簡単な説明】
【００１１】
【図１】本発明の一実施形態に係る冷蔵庫を示す断面図
【図２】冷却ユニットを示す断面図
【図３】図２においてヒータ付近を拡大した拡大図
【図４】冷却ユニットを示す正面図
【図５】冷却ユニットを示す斜視図
【図６】図５においてファンガード付近を拡大した拡大図
【図７】ケースを構成するパネル部材を示す斜視図
【図８】ヒータ及びブラケットを示す平面図（上方から視た図）
【図９】ブラケットを示す斜視図
【図１０】ドレンパンを取り外した状態の冷却ユニットを示す斜視図（下方から視た図）
【図１１】図１０においてヒータ付近を拡大した拡大図
【図１２】図１１においてヒータにおける棒状部７５Ｒと棒状部７３Ｒとの境界部７６Ｒ付近を拡大した拡大図
【図１３】図１１においてヒータにおける棒状部７５Ｒと棒状部７３Ｌとの境界部７６Ｌ付近を拡大した拡大図
【図１４】ヒータにおいて一対の境界部７６Ｒ，７６Ｌを示す図（下方から視た図）
【図１５】ヒータ及び切欠部を示す側面図（図４のＸＶ−ＸＶ線で切断した図に対応）
【図１６】開口縁部の変形例を示す図
【発明を実施するための形態】
【００１２】
本発明の一実施形態を図１から図１５によって説明する。本実施形態では、冷却貯蔵庫としてプレハブ式の冷蔵庫１０を例示する。冷蔵庫１０は、図１に示すように、貯蔵室１１を有する貯蔵庫本体１２と、冷却装置１３と、を備える。貯蔵庫本体１２（断熱箱体）は、複数の断熱パネルを箱状に組み立てることで構成されている。貯蔵庫本体１２には出入口となる開口部１６が形成され、開口部１６は、断熱扉１７によって開閉可能となっている。冷却装置１３は、室外機２１と、冷却ユニット３０と、を備える。室外機２１は、図示しない圧縮機と、凝縮器と、凝縮器ファンとを備える。
【００１３】
冷却ユニット３０は、冷却器３１（蒸発器）と、冷却ファン３２と、図示しない膨張手段（キャピラリチューブや膨張弁等）と、を備える。冷却ユニット３０は、貯蔵庫本体１２の内部に配されており、例えば、貯蔵庫本体１２を構成する天井壁部に取り付けられている。圧縮機、凝縮器、膨張手段及び冷却器３１は、冷媒が封入された冷媒管２４によってこの順番で循環接続されることで冷却サイクルを構成している。冷却運転時には、冷却器３１で冷媒が蒸発する。また、冷却運転時には、冷却ファン３２の駆動によって、貯蔵室１１内の空気が冷却ユニット３０内に吸引され、冷却器３１を通過する過程で熱交換によって冷やされた空気（冷気）が貯蔵室１１内に吹き出される。これにより、貯蔵室１１内に冷気が供給されることで貯蔵室１１が冷却される構成となっている。
【００１４】
次に冷却ユニット３０の構成について詳しく説明する。なお、以下の説明では、冷却ファン３２の吹き出し側を冷却ユニット３０の前側（図２の左側）とし、吹き出し側と反対側を冷却ユニット３０の後側（図２の右側）とする。また、図４の左右方向を冷却ユニット３０の左右方向とする。なお、各図においては、冷却ユニット３０の前後方向をＹ軸方向とし、冷却ユニット３０の左右方向をＸ軸方向とし、鉛直方向をＺ軸方向としている。冷却ユニット３０は、図２に示すように、冷却器３１と、冷却ファン３２と、ケース５０と、ドレンパン３４と、ファンガード４０と、ヒータ７０と、を備える。ドレンパン３４は、ケース５０、ファンガード４０、ヒータ７０を下方から覆う形で配されている。
【００１５】
ケース５０は、図４及び図５に示すように、左右方向に長い箱状をなしており、複数枚のパネル部材によって構成されている。ケース５０は、少なくとも冷却器３１及び冷却ファン３２を収容するものとされる。ケース５０は、前壁部５１と、天井壁部５２と、一対の側壁部５３，５３と、を備える。ケース５０は、図１０に示すように、後方に開口された開口部５０Ａと、下方に開口された開口部５０Ｂとを有する。なお、図１０は、ドレンパン３４を取り外した状態の冷却ユニット３０を下方から視た斜視図である。ケース５０内では、図２に示すように、冷却器３１及び冷却ファン３２が前後方向に沿って並ぶ形で配されており、冷却器３１の前側に冷却ファン３２が配されている。冷却ファン３２は、羽根３２Ａと、羽根を回転させるモータ３２Ｂと、を備える。
【００１６】
前壁部５１（第１壁部）には、冷却ファン３２の吹き出し側をケース５０の外部に露出させる開口部５１Ａが形成されている。開口部５１Ａは、前壁部５１を前後方向に貫通する形で形成されており、図７に示すように円形状をなしている。本実施形態の冷却ユニット３０は、図４に示すように、左右方向に並ぶ２台の冷却ファン３２を備え、各冷却ファン３２に対向する箇所に開口部５１Ａがそれぞれ形成されている。前壁部５１における開口部５１Ａの開口縁部５１Ｂは、ベルマウスである。開口縁部５１Ｂは、前壁部５１における前方を向く面５１Ｄから前方に突き出す形状をなしている。また、開口縁部５１Ｂは、羽根３２Ａの周囲を全周に亘って囲む形で設けられている。ベルマウスである開口縁部５１Ｂは、冷却ファン３２の吸い込み側から吹き出し側に向かう空気の流れを整える機能を有している。
【００１７】
ファンガード４０は、開口部５１Ａ及び冷却ファン３２（より詳しくは羽根３２Ａ）を冷却ファン３２の吹き出し側から覆う構成となっており、図４に示すように、正面視（前側から視た状態）において、開口部５１Ａよりも一回り大きい円形状をなしている。ファンガード４０は、金属製の丸棒４１，４２，４３を溶接によって接合することで構成されている。丸棒４１は、開口部５１Ａよりも一回り大きい螺旋状をなしている。４本の丸棒４２は、正面視において丸棒４１の中心から、放射状に延びている。丸棒４３は正面視においてＬ字状をなしており、一対設けられている。丸棒４３の角部は、正面視において丸棒４１の中心と一致する形で配されている。丸棒４３における一端部は、前壁部５１に対してねじ２６によってねじ止めされている。これにより、ファンガード４０は前壁部５１に対して取り付けられている。
【００１８】
図５に示すように、前壁部５１の下端には、左右方向に延びる長手状をなす延設壁部５４（第２壁部）が設けられている。延設壁部５４は、２つのファンガード４０，４０を下方から覆う形で設けられている。延設壁部５４は、図３に示すように、前壁部５１の下端から前側に向かうにつれて上昇傾斜する形で延びている。なお、本実施形態では、冷却ファン３２の回転軸の軸方向Ｌ１（図２参照）は前後方向に沿うものとされ、延設壁部５４は、左右方向に延びる長手状をなしている。つまり、延設壁部５４は、冷却ファン３２の回転軸の軸方向と直交する方向に延びる長手状をなしている。
【００１９】
図３に示すように、延設壁部５４の前端には上方に立ち上がる立壁部５５が設けられ、立壁部５５には、ドレンパン３４の前壁部３４Ａがねじ２８によって取り付けられている。なお、上述した前壁部５１、天井壁部５２、延設壁部５４、立壁部５５は、図７に示すように一枚のパネル部材５７を折り曲げることで一体的に形成されているが、これに限定されない。
【００２０】
ヒータ７０は、図３に示すように、ブラケット６０によって延設壁部５４の下面に取り付けられている。ヒータ７０は、図８に示すように、棒状をなしており、左右対称に配された一対のＵ字部７１，７１と、一対のＵ字部７１，７１同士を繋ぐ連結部７２と、Ｕ字部７１において連結部７２とは反対側の端部に設けられた棒状部７３とを備える。ヒータ７０としては、シーズヒータを用いることができるが、ヒータ７０の種類はこれに限定されない。なお、シーズヒータは、金属製（鉄など）のパイプと、パイプ内に収容された電気ヒータと、パイプと電気ヒータとの間に充填された絶縁材（いずれも図示せず）とを備える。
【００２１】
図４に示すように、Ｕ字部７１は、ファンガード４０の下方に配されている。図８に示すように、Ｕ字部７１は、平行に配された一対の棒状部７５Ｆ，７５Ｒと、棒状部７５Ｆと棒状部７５Ｒを繋ぐ湾曲状の連結部７５Ａと、を有するＵ字状をなしている。一対の棒状部７５Ｆ，７５Ｒは、それぞれ左右方向（延設壁部５４の長手方向）に沿って延びている。ヒータ７０のＵ字部７１は弾性を有している。より具体的には、棒状部７５Ｆ及び棒状部７５Ｒは、連結部７５Ａを支点としてそれぞれ弾性的に撓み変形が可能となっている。
【００２２】
また、図８に示すように、一対のＵ字部７１，７１は左右対称に配されており、一方のＵ字部７１の開口は、他方のＵ字部７１の開口と対向する形で配されている。具体的には、図８の右側のＵ字部７１は、左側に開口されており、図８の左側のＵ字部７１は、右側に開口されている。
【００２３】
図３に示すように、ヒータ７０は、延設壁部５４の下面５４Ｄに当接している。これにより、ヒータ７０の熱は、延設壁部５４、前壁部５１を介して開口縁部５１Ｂに伝熱される。これにより、ヒータ７０によって開口縁部５１Ｂを加熱することが可能となっている。また、ファンガード４０が備える一対の丸棒４３，４３のうち、相対的に下方に配された丸棒４３（以下の説明では、丸棒４３Ｄと呼ぶ）における後端には、ヒータ７０の棒状部７５Ｒに向かって延びる延設部４５が設けられている。
【００２４】
より詳しくは、丸棒４３Ｄは、左右方向に延びる棒状部４８（図６参照）と、上下方向に延びる棒状部４６と、棒状部４６の下端から後方に延びる棒状部４７を備え、延設部４５は、棒状部４７の後端から下方に延びており、丸棒４３Ｄと一体的に設けられている。延設部４５は、ヒータ７０の棒状部７５Ｒに対して後側から接触している。なお、延設壁部５４において、延設部４５に対応する箇所には、延設部４５が挿通される貫通孔５４Ａが形成されている。なお、延設部４５は、丸棒４３Ｄと別体であってもよい。貫通孔５４Ａは、左右方向に長い方形状をなしている。より詳しくは、貫通孔５４Ａは、角部がＲ形状をなす角孔である。
【００２５】
ブラケット６０は、ヒータ７０を保持する保持部材であって、図９に示すように、左右方向に長いブラケット底壁部６１と、ブラケット底壁部６１の前端から立ち上がる一対のブラケット前壁部６２，６２と、ブラケット底壁部６１の後端から立ち上がる一対のブラケット後壁部６３，６３と、を備える。ブラケット前壁部６２，６２は、棒状部７５Ｆを前方から覆う形で配され、ブラケット後壁部６３，６３は、棒状部７５Ｒを後方から覆う形で配されている。
【００２６】
ブラケット６０は、図３に示すように、延設壁部５４に対してねじ２７によってねじ止めされている。より詳しくは、ねじ２７は、ブラケット底壁部６１に形成された挿通孔６１Ｂ（図９参照）に挿通された後、延設壁部５４に形成された取付孔５４Ｅ（ねじ孔、図７参照）に螺合されている。
【００２７】
図３に示すように、ヒータ７０の棒状部７５Ｒ（第１棒状部、一対の棒状部のうち一方の棒状部）は、延設部４５に対して接触するものとされ、棒状部７５Ｆ（一対の棒状部のうち他方の棒状部）は、棒状部７５Ｒに対して前側（延設部４５とは反対側）に配されている。棒状部７５Ｆが一対のブラケット前壁部６２，６２によって後側（棒状部７５Ｒ側）に押圧されることで、棒状部７５Ｒが延設部４５側に弾性的に付勢されている。言い換えると、一対の棒状部７５Ｆ，７５Ｒは、一対のブラケット前壁部６２，６２と延設部４５によって前後方向から挟持されており、一対の棒状部７５Ｆ，７５Ｒの対向間隔は、自然状態（ヒータ７０が組み付けられていない状態）よりもわずかに小さいものとなっている。
【００２８】
図８に示すように、ヒータ７０の棒状部７３（第２棒状部）は、棒状部７５Ｒの延設方向における一端から後方に向かって延びている。つまり、棒状部７３は、棒状部７５Ｒの延設方向に対して直交する方向に延びている。棒状部７５Ｒと棒状部７３の境界部７６は、Ｒ形状をなしている。なお、本実施形態では、一対の棒状部７３、７３を備えるため、以下の説明では、図８の右側の棒状部７３を棒状部７３Ｒと呼び、図８の左側の棒状部７３を棒状部７３Ｌと呼ぶものとする。また、図６に示すように、延設壁部５４において、ファンガード４０とヒータ７０との間に位置する箇所には、貫通孔５４Ｂが形成されている。貫通孔５４Ｂは、貫通孔５４Ａ（延設部４５が挿通された貫通孔）の左右両側にそれぞれ形成されており、貫通孔５４Ｂは、ファンガード４０の左右両端部の下方にそれぞれ配されている。
【００２９】
貫通孔５４Ｂは、左右方向に長い方形状をなしている。より詳しくは、貫通孔５４Ｂは、角部がＲ形状をなす角孔である。図１１から図１３に示すように、延設壁部５４における貫通孔５４Ｂの孔縁部には切欠部５６が形成されている。なお、図１１から図１４は、延設壁部５４及びヒータ７０を下方から視た図である。より詳しくは、切欠部５６は、貫通孔５４Ｂの孔縁部のうち、後側の孔縁部に形成されており、貫通孔５４Ｂの長辺方向（左右方向）に長い形状をなしている。
【００３０】
ヒータ７０は、図１４に示すように、一対の境界部７６，７６を有しており、切欠部５６は、各境界部７６に対応してそれぞれ設けられている。具体的には、図５に示すように、ヒータ７０における棒状部７５Ｒと棒状部７３Ｒとの境界部７６（ヒータ７０の一部、符号７６Ｒを付す）は、４つの貫通孔５４Ｂのうち、右から２番目の貫通孔５４Ｂ（符号５４Ｒを付す）に対応する箇所に配されている。境界部７６Ｒは、図１４に示すように、貫通孔５４Ｒの切欠部５６の内面５６Ｒ（より詳しくは内面のうち図１４において右側を向く内面）と対向且つ隣接する形で配されている。
【００３１】
これにより、ヒータ７０が左右方向（Ｘ軸方向）における一方（図１４では左側）に変位した場合には、ヒータ７０の境界部７６Ｒがこれと対向する内面５６Ｒに当接することで、左右方向の一方側へのヒータ７０の変位を規制することが可能となっている。なお、境界部７６Ｒと内面５６Ｒとの間には、左右方向においてわずかに隙間が設けられているが、境界部７６Ｒと内面５６Ｒとが当接されていてもよい。
【００３２】
また、図５に示すように、ヒータ７０における棒状部７５Ｒと棒状部７３Ｌとの境界部７６（ヒータ７０の一部、符号７６Ｌを付す）は、４つの貫通孔５４Ｂのうち、右から３番目の貫通孔５４Ｂ（符号５４Ｌを付す）に対応する箇所に配されている。境界部７６Ｌは、図１４に示すように、貫通孔５４Ｌの切欠部５６の内面５６Ｌ（より詳しくは切欠部５６の内面のうち図１４において左側を向く内面）と対向且つ隣接する形で配されている。これにより、ヒータ７０が左右方向における他方（図１４では右側）に変位した場合には、ヒータ７０の境界部７６Ｌがこれと対向する内面５６Ｌに当接することで、左右方向の他方側へのヒータ７０の変位を規制することが可能となっている。なお、境界部７６Ｌと内面５６Ｌとの間には、左右方向においてわずかに隙間が設けられているが、境界部７６Ｌと内面５６Ｌとが当接されていてもよい。
【００３３】
つまり、ヒータ７０が左右方向に変位した際には、一対の境界部７６Ｒ，７６Ｌのうち一方が一対の内面５６Ｒ，５６Ｌのうち一方に当接することで、ヒータ７０の左右方向における位置ずれが規制される構成となっている。なお、図１５に示すように、棒状部７３は、後方に向かうにつれて上昇傾斜する形で延びている。また、図１２及び図１３に示すように、内面５６Ｒ，５６Ｌは、例えば三角形状をなしているが、内面の形状はこれに限定されない。
【００３４】
次に本実施形態の効果について説明する。本実施形態によれば、ヒータ７０で発生した熱を延設部４５を介して、ファンガード４０に伝えることができる。これにより、ファンガード４０に付着した霜を溶かすことができる。また、ヒータ７０の熱は延設壁部５４を介して開口縁部５１Ｂにも伝えられるため、開口縁部５１Ｂを加熱して、開口縁部５１Ｂに付着した霜を溶かすことができる。これにより、成長した霜が冷却ファン３２と接触する事態を抑制することができるので、冷却ファン３２が回転不能となったり、故障したりする事態を抑制することができる。このように１つのヒータ７０でファンガード４０と開口縁部５１Ｂの双方を加熱することができ、好適である。言い換えると、ファンガード４０とベルマウス５１Ｂにそれぞれ専用のヒータが設けられている構成と比べて、コストを低減することができる。なお、ヒータ７０の熱によってケース５０における開口縁部５１Ｂ付近の箇所も加熱することができるため、当該箇所に付着した霜を溶かすことも可能である。
【００３５】
なお、ヒータ７０で発生した熱は、延設部４５を介して丸棒４３Ｄに伝熱される。丸棒４３Ｄは、丸棒４１と接合されているため、丸棒４３Ｄから丸棒４１に熱が伝えられる。螺旋状をなす丸棒４１は、各丸棒４２や丸棒４３と接合されているため、丸棒４１を介して、各丸棒４２や他の丸棒４３（一対の丸棒４３のうち、丸棒４３Ｄではない丸棒４３）に熱が伝えられる。なお、螺旋状をなす丸棒４１は、図６に示すように、丸棒４３Ｄの棒状部４７及び棒状部４８と複数個所で接合されている。このため、丸棒４３Ｄから丸棒４１に対して効率よく熱を伝えることができる。
【００３６】
また、ドレンパン３４は、図２に示すように、冷却器３１を下方から覆うものとされる。このため、冷却器３１を除霜した際の水をドレンパン３４によって受けることができる。さらに、ドレンパン３４は、ケース５０の延設壁部５４及びブラケット６０も下方から覆っている。そして、延設壁部５４は後方に向かうにつれて下降傾斜する形で延びている。このため、ファンガード４０や開口縁部５１Ｂに付着した霜が溶けることで発生した水が延設壁部５４に落下した場合、その水は、延設壁部５４の傾斜に沿って流れ、貫通孔５４Ｂからドレンパン３４に落下する。
【００３７】
そして、図３に示すように、延設壁部５４の貫通孔５４Ａは、ブラケット底壁部６１によって下方から覆われている。このため、延設壁部５４の貫通孔５４Ａを通じて水がブラケット底壁部６１に落下する場合がある。ブラケット底壁部６１は、後方に向かうにつれて下降傾斜する形で延びており、図９に示すように、ブラケット底壁部６１には、貫通孔６１Ａが貫通形成されている。このため、ブラケット底壁部６１に落下した水は、ブラケット底壁部６１の傾斜に沿って流れ、貫通孔６１Ａや一対のブラケット後壁部６３，６３間の隙間Ｓ１（図９参照）からドレンパン３４に落下する。なお、図２に示すように、ドレンパンの底壁３４Ｄは、後方に向かうにつれて下降傾斜する形で延びており、ドレンパン３４によって受けられた水は底壁３４Ｄの後部に設けられた排水口３４Ｂ、及び排水口３４Ｂに接続されたドレンホース（図示せず）を通じて庫外に排出される。
【００３８】
また、ケース５０は、開口部５１Ａを有すると共にファンガード４０が取り付けられる前壁部５１を備え、前壁部５１の下端には、ファンガード４０を下方から覆う延設壁部５４が設けられ、ヒータ７０は、延設壁部５４の下面５４Ｄに取り付けられており、延設壁部５４において、ファンガード４０とヒータ７０との間に位置する箇所には、貫通孔５４Ｂが形成されている。延設壁部５４に貫通孔５４Ｂを形成することで、ヒータ７０によって加熱された空気が貫通孔５４Ｂを通じてファンガード４０に向かうことができ、ファンガード４０をより効果的に加熱することができる。
【００３９】
仮に、ヒータ７０の熱を延設部４５を介してのみファンガード４０に伝える構成とした場合、ファンガード４０において延設部４５から遠い箇所（本実施形態では、ファンガード４０の左右両端部）は加熱され難い。貫通孔５４Ｂを設けることで、ヒータ７０によって加熱された空気をファンガード４０の左右両端部（延設部４５からの伝熱によって加熱し難い箇所）に当てることができ、効果的に加熱することができる。つまり、延設部４５及び貫通孔５４Ｂを併用することでファンガード４０全体をより効果的に加熱することができるため、ファンガード４０の除霜時間（ヒータ７０の加熱時間）を短くすることができ、貯蔵室１１内の温度上昇を抑制することができる。
【００４０】
また、延設壁部５４は、冷却ファン３２の回転軸の軸方向と直交する方向に延びる長手状をなしており、延設壁部５４における貫通孔５４Ｂの孔縁部には切欠部５６が形成されており、ヒータ７０の境界部７６が切欠部５６の内面５６Ｒ（又は内面５６Ｌ）に当接することで、左右方向の一方側（又は他方側）へのヒータ７０の変位を規制することが可能であるものとされる。このようにすれば、ヒータ７０を組み付ける際に切欠部５６の内面を基準として延設壁部５４の長手方向についてヒータ７０の位置決めをすることができる。これにより、ファンガード４０に対するヒータ７０の位置ずれを規制することができ、ヒータ７０によってファンガード４０をより確実に加熱することができる。言い換えると、ファンガード４０に対してヒータ７０の位置決めをするために治具等を用いる必要がなく好適である。なお、上記構成によれば、ヒータ７０を組み付けた後においても、ヒータ７０の左右方向の位置ずれを規制することができる。
【００４１】
また、ヒータ７０を保持するブラケット６０を備え、ヒータ７０は、Ｕ字状をなすと共に弾性を有するＵ字部７１を備え、Ｕ字部７１は、平行に配された一対の棒状部７５Ｆ，７５Ｒを有しており、棒状部７５Ｒは、延設部４５に対して接触するものとされ、棒状部７５Ｆは、棒状部７５Ｒに対して延設部４５とは反対側に配され、棒状部７５Ｆがブラケット６０によって棒状部７５Ｒ側に押圧されることで、棒状部７５Ｒが延設部４５側に付勢されている。棒状部７５Ｒが延設部４５側に弾性的に付勢されているため、例えば、延設壁部５４に対するブラケット６０の組付誤差等によって棒状部７５Ｒと延設部４５とが離間する事態をより確実に抑制することができ、ファンガード４０をより確実に加熱することができる。
【００４２】
＜他の実施形態＞
本発明は上記記述及び図面によって説明した実施形態に限定されるものではなく、例えば次のような実施形態も本発明の技術的範囲に含まれる。
（１）上記実施形態では、延設部４５がファンガード４０と一体的に形成されているものを例示したが、延設部４５は、ファンガード４０と別体であってもよい。なお、ファンガード４０や延設部４５の材質については、熱伝導率が高いものが好ましく、その点からファンガード４０や延設部４５を金属製とすることが好ましい。
（２）上記実施形態では、円形状をなすファンガード４０を例示したが、これに限定されない。例えば、ファンガードが格子状をなすものであってもよい。また、上記実施形態では、ファンガード４０が丸棒によって構成されているものを限定したが丸棒に限定されず、例えば、角棒によってファンガードが構成されていてもよい。
（３）ヒータ７０の設置箇所は、上記実施形態で例示したものに限定されない。例えば、図３の２点鎖線で示すように、ヒータ１７０が前壁部５１の裏側に配されており、ヒータ１７０に接触するように、ファンガード４０から延びる延設部１４５が設けられていてもよい。
（４）上記実施形態では、２台の冷却ファン３２を備える冷却ユニットを例示したが、冷却ファンの台数はこれに限定されず適宜変更可能である。
（５）上記実施形態では、棒状部７３が、棒状部７５Ｒの延設方向に対して直交する方向に延びるものと例示したが、これに限定されず、棒状部７３は、棒状部７５Ｒと交差する方向に延びていればよい。つまり、棒状部７３と棒状部７５Ｒのなす角度は、９０度に限定されず、適宜変更可能である。
（６）上記実施形態では、切欠部５６の内面にヒータ７０の境界部７６が当接することでヒータ７０の左右方向における位置決めがされる構成を例示したが、例えば、ヒータ７０の棒状部７３が内面に当接することで、ヒータ７０の左右方向における位置決めがされる構成であってもよい。また、ヒータ７０の一部（例えば棒状部７３）が切欠部５６において内面５６Ｒ，５６Ｌとは反対側の内面（図１１の内面５６Ｓ，５６Ｔ参照）に近接する形で配されていてもよく、その場合には、ヒータ７０の一部が内面５６Ｓ，５６Ｔに当接することで、ヒータ７０の左右方向における位置決めがされる構成であってもよい。
（７）上記実施形態では、前壁部５１における開口部５１Ａの開口縁部５１Ｂがベルマウスになっている構成を例示したが、開口縁部の形状は、これに限定されず適宜変更可能である。例えば、図１６の変形例に示すように、前壁部５１における開口部１５１Ａの開口縁部１５１Ｂがベルマウスになっていなくてもよい。
【符号の説明】
【００４３】
１０…冷蔵庫（冷却貯蔵庫）、１１…貯蔵室、１２…貯蔵庫本体、３１…冷却器、３２…冷却ファン、４０…ファンガード、４５，１４５…延設部、５０…ケース、５１…前壁部（第１壁部)、５１Ａ，１５１Ａ…開口部、５１Ｂ，１５１Ｂ…開口縁部、５４…延設壁部（第２壁部）、５４Ｂ…貫通孔、５４Ｄ…下面（第２壁部の下面）、５６…切欠部、５６Ｒ，５６Ｌ…切欠部の内面、６０…ブラケット（保持部材）、７０，１７０…ヒータ、７１…Ｕ字部、７５Ｆ…棒状部（一対の棒状部のうち他方の棒状部）、７５Ｒ…棒状部（一対の棒状部のうち一方の棒状部）、７６…境界部（ヒータの一部）、Ｌ１…冷却ファンの回転軸
【図１】
2020085277.tif 000003
【図２】
2020085277.tif 000004
【図３】
2020085277.tif 000005
【図４】
2020085277.tif 000006
【図５】
2020085277.tif 000007
【図６】
2020085277.tif 000008
【図７】
2020085277.tif 000009
【図８】
2020085277.tif 000010
【図９】
2020085277.tif 000011
【図１０】
2020085277.tif 000012
【図１１】
2020085277.tif 000013
【図１２】
2020085277.tif 000014
【図１３】
2020085277.tif 000015
【図１４】
2020085277.tif 000016
【図１５】
2020085277.tif 000017
【図１６】
2020085277.tif 000018